【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
（ａ）吸入薬剤をその内部に収容するためのポケットを画定するようにブリスターが形成されている基体シート；と、
（ｂ）ブリスターの領域以外は基体シートにシール可能で、かつ、上記吸入薬剤を放出できるように基体シートから機械的に剥離可能な蓋シート；
とを含むブリスター形態の薬剤パックであって、
ここで、上記基体シートおよび／または蓋シートは、
（ａ）アルミニウムホイルの第１層；と、
（ｂ）厚さが10〜60ミクロンのポリマー材料の第２層
とを含むラミネート構造を有し、上記ポリマー材料が、25℃で0.6ｇ／（100 インチ2）（24時間）（mil）より低い透湿度を有する上記ブリスター形態の薬剤パック。
【請求項２】
前記ポリマー材料が、ポリプロピレン；ポリエチレン；ポリ塩化ビニリデン（PVDC）；ポリクロロトリフルオロエチレン（PCTFE）；環状オレフィンコポリマー（COC）；ならびに環状オレフィンポリマー（COP）からなる群より選択される、請求項１に記載のブリス
ター形態の薬剤パック。
【請求項３】
前記ポリマー材料が、延伸およびキャスト形態からなる群より選択される形態を有するポリプロピレンである、請求項２に記載のブリスター形態の薬剤パック。
【請求項４】
前記ポリマー材料が、高、低および中密度形態からなる群より選択される形態を有するポリエチレンである、請求項２に記載のブリスター形態の薬剤パック。
【請求項５】
長さ方向に設けられた多数の個別ブリスター部分を有する細長い剥離可能なブリスターストリップの形態をした、請求項１〜４のいずれかに記載のブリスター形態の薬剤パック。
【請求項６】
前記第２層のポリマー材料が、25℃で0.3ｇ／（100 インチ2）（24時間）（mil）より小さい透湿度を有する、請求項１〜５のいずれかに記載のブリスター形態の薬剤パック。
【請求項７】
前記第２層の厚さが、20〜30ミクロンである、請求項１〜６のいずれかに記載のブリスター形態の薬剤パック。
【請求項８】
前記第２層が、前記パックの内側層である、請求項１〜７のいずれかに記載のブリスター形態の薬剤パック。
【請求項９】
前記蓋シートが、少なくとも以下の連続層：（ａ）紙；これが接着する（ｂ）プラスチックフィルム；これが接着する（ｃ）アルミニウムホイル；を含む、請求項１〜８のいずれかに記載のブリスター形態の薬剤パック。
【請求項１０】
前記アルミニウムホイルにヒートシールラッカー層がさらに設けられている、請求項９に記載のブリスター形態の薬剤パック。
【請求項１１】
前記プラスチックフィルム層が、ポリエステル、ポリアミド、ポリプロピレンおよびPVCからなる群より選択される材料を含む、請求項９または10のいずれかに記載のブリスター形態の薬剤パック。
【請求項１２】
前記プラスチックフィルムが、延伸ポリアミド（OPA）、延伸ポリエステル（OPET）、および延伸ポリプロピレン（OPP）からなる群より選択される材料を含む延伸プラスチックフィルムである、請求項11に記載のブリスター形態の薬剤パック。
【請求項１３】
前記プラスチック層が５〜40μmの厚さを有する、請求項11または12のいずれかに記載のブリスター形態の薬剤パック。
【請求項１４】
前記アルミニウム層が、15〜60μmの厚さを有する、請求項９〜13のいずれかに記載のブリスター形態の薬剤パック。
【請求項１５】
前記基体シートが、少なくとも以下の連続層：（ａ）延伸ポリアミド（OPA）；これが接着する（ｂ）アルミニウムホイル；これが接着する（ｃ）25℃で0.6ｇ／（100 インチ2）（24時間）（mil）より低い透湿度を有するポリマー材料からなる厚さ10〜60ミクロンの層；を含む、請求項１〜14のいずれかに記載のブリスター形態の薬剤パック。
【請求項１６】
前記ポリマー材料が延伸ポリプロピレン（OPP）を含み、このポリマー層の厚さが20〜30ミクロンである、請求項15に記載のブリスター形態の薬剤パック。
【請求項１７】
前記ポリマー材料がキャストポリプロピレンを含み、このポリマー層の厚さが20〜3ミクロンである、請求項15に記載のブリスター形態の薬剤パック。
【請求項１８】
前記ポリマー材料が高密度ポリエチレン（HDPE）を含み、このポリマー層の厚さが35〜45ミクロンである、請求項15に記載のブリスター形態の薬剤パック。
【請求項１９】
前記ポリマー材料が低密度ポリエチレン（LDPE）を含み、このポリマー層の厚さが20〜30ミクロンである、請求項15に記載のブリスター形態の薬剤パック。
【請求項２０】
前記ポリマー材料がポリ塩化ビニリデン（PVDC）を含み、このポリマー層の厚さが20〜30ミクロンである、請求項15に記載のブリスター形態の薬剤パック。
【請求項２１】
前記ポリマー材料がポリクロロトリフルオロエチレン（PCTFE）を含み、このポリマー層の厚さが20〜45ミクロンである、請求項15に記載のブリスター形態の薬剤パック。
【請求項２２】
前記ポリマー材料が環状オレフィンコポリマー（COC）を含み、このポリマー層の厚さが20〜30ミクロンである、請求項15に記載のブリスター形態の薬剤パック。
【請求項２３】
前記パックの１個以上のブリスターが乾燥粉末状の吸入薬剤を含む、請求項１〜22のいずれかに記載のブリスター形態の薬剤パック。
【請求項２４】
前記吸入薬剤が、抗炎症薬、抗コリン作用薬、その他のβ2-アドレナリン作用性受容体アゴニスト、抗感染薬、抗ヒスタミン薬、ならびにこれらの任意の混合物からなる群より選択される１種以上の活性薬剤を含む、請求項23に記載のブリスター形態の薬剤パック。
【請求項２５】
前記抗炎症薬が、コルチコステロイド、NSAID、ならびにこれらの任意の混合物からなる群より選択される、請求項24に記載のブリスター形態の薬剤パック。
【請求項２６】
前記コルチコステロイドが、メチルプレドニゾロン、プレドニゾロン、デキサメタゾン、プロピオン酸フルチカゾン、6α,9α-ジフルオロ-17α-[(2-フラニルカルボニル)オキシ]-11β-ヒドロキシ-16α-メチル-3-オキソ-アンドロスタ-1,4-ジエン-17β-カルボチオ酸S-フルオロメチルエステル、6α,9α-ジフルオロ-11β-ヒドロキシ-16α-メチル-3-オキソ-17α-プロピオニルオキシ-アンドロスタ-1,4-ジエン-17β-カルボチオ酸S-(2-オキソ-テトラヒドロ-フラン-3S-イル)エステル、ベクロメタゾンエステル、フルニソリド、モメタゾンエステル、トリアムシノロンアセトニド、ロフレポニド、シクレソニド、プロピオン酸ブチキソコルト(butixocort propionate)、RPR-106541、およびST-126、ならびにこれらの任意の混合物からなる群より選択される、請求項25に記載のブリスター形態の薬剤パック。
【請求項２７】
前記NSAIDが、ナトリウムクロモグリケート、ネドクロミルナトリウム、ホスホジエステラーゼ（PDE）阻害剤、ロイコトリエンアンタゴニスト、ロイコトリエン合成の阻害剤、iNOS阻害剤、トリプターゼおよびエラスターゼ阻害剤、β-2インテグリンアンタゴニスト、アデノシン受容体アゴニストまたはアンタゴニスト、サイトカインアンタゴニスト、サイトカイン合成の阻害剤、ならびにこれらの任意の混合物からなる群より選択される、請求項25に記載のブリスター形態の薬剤パック。
【請求項２８】
ハウジング;と、該ハウジング内部にある請求項23〜27のいずれか１項に記載のブリスター形態の薬剤パック;とを含む薬剤ディスペンサーデバイスであって、このディスペンサーデバイスは、上記薬剤パックのブリスターから吸入薬剤を投薬するための内部機構を有し、この機構は、
ａ）薬剤パックのポケットを受け入れる開口部位；
ｂ）上記開口部位に受け入れられたポケットの基体シートおよび蓋シートと連動して、基体シートと蓋シートを剥がすことにより、上記ポケットを開口するように位置する剥離手段であって、この剥離手段が、開口部位に受け入れられたポケットの蓋シートと基体シートを引き離す蓋駆動手段を含む上記剥離手段；
ｃ）使用者がこのような開口したポケットから薬剤用量にアクセスできる開口ポケットと連通するように位置するアウトレット；
ｄ）薬剤パックの個別ポケットを個々に指標付けするためのインデックス手段；
を含む上記ディスペンサーデバイス。